(57)【要約】  本発明は、以下を含む複合ペイン（１００）に関する：  −  少なくとも一つの中間層（３）によって互いに接合している外部ペイン（１）及び内部ペイン（２）、  −  上記外部ペイン（１）及び上記内部ペイン（２）の間に配置されている機能要素（４）、  ここで、金属保護層（５）が、上記外部ペイン（１）と、上記機能要素（４）との間に配置されている。
2021506714.tif 000002
【特許請求の範囲】
【請求項１】
少なくとも以下を含む複合ペイン（１００）であって：
−  少なくとも一つの中間層（３）によって互いに接合している外部ペイン（１）及び内部ペイン（２）、
−  前記外部ペイン（１）及び前記内部ペイン（２）の間に配置されている機能要素（４）、
ここで、金属保護層（５）が、前記外部ペイン（１）と、前記機能要素（４）との間に配置されている、
複合ペイン。
【請求項２】
前記金属保護層（５）が、金属層、好ましくは、アルミニウム層、ステンレス鋼層、銅層、銀層、若しくは金層を含むか、又はこれからなる、請求項１に記載の複合ペイン（１００）。
【請求項３】
前記金属層が、少なくとも一つのキャリアフィルムの上に配置されており、かつ前記キャリアフィルムが、好ましくは、ポリマーキャリアフィルムであり、特に、ポリエチレンテレフタレート（ＰＥＴ）、ポリビニルブチラール（ＰＶＢ）、エチレン酢酸ビニル（ＥＶＡ）、ポリエチレンナフタレート（ＰＥＮ）、ポリエポキシド、若しくはポリイミドを含むか、又はこれからなる、請求項２に記載の複合ペイン（１００）。
【請求項４】
前記金属保護層（５）が、金属箔、好ましくは、アルミニウム箔、ステンレス鋼箔、銅箔、銀箔、若しくは金箔を含むか、又はこれからなる、請求項１〜３のいずれか一項に記載の複合ペイン（１００）。
【請求項５】
前記金属保護層（５）、特に、前記金属層又は前記金属箔が、０．５μｍ〜５００μｍ、好ましくは１μｍ〜２００μｍ、特に２０μｍ〜５０μｍの厚さを有する、請求項１〜４のいずれか一項に記載の複合ペイン（１００）。
【請求項６】
前記外部ペイン（１）上への前記金属保護層（５）の正射影領域が、前記外部ペイン（１）上への前記機能要素（４）の正射影領域と等しいか、又はこれよりも大きい、請求項１〜５のいずれか一項に記載の複合ペイン（１００）。
【請求項７】
前記金属保護層（５）が、赤外線放射及び／又は紫外線放射を、少なくとも８０％、好ましくは少なくとも９０％、特に少なくとも９９％、反射又は吸収する、請求項１〜６のいずれか一項に記載の複合ペイン（１００）。
【請求項８】
前記機能要素（４）が、電気的機能要素であり、かつ好ましくは、少なくとも以下を含むか、又はこれらからなる、請求項１〜７のいずれか一項に記載の複合ペイン（１００）：
−  光源、好ましくはＬＥＤ光源（発光ダイオード）、特に好ましくはＯＬＥＤ光源（有機発光ダイオード）、
−  ディスプレイ、好ましくはＯＬＥＤディスプレイ、特に好ましくは透明なＯＬＥＤディスプレイ、
−  センサー、好ましくは温度センサー、タッチセンサー、湿分センサー、振動センサー、又はブレイクセンサー、
−  ＲＦＩＤチップ、スイッチング論理回路、又はマイクロプロセッサー。
【請求項９】
マスキングプリント（２０）、例えば、黒色プリント、白色プリント、又は着色プリントが、少なくとも前記外部ペイン（１）と前記金属保護層（５）との間に配置されており、かつ前記マスキングプリント（２０）が、好ましくは、前記外部ペイン（１）の内側面ＩＩの上に直接配置されている、請求項１〜８のいずれか一項に記載の複合ペイン（１００）。
【請求項１０】
少なくとも以下を含む、請求項１〜９のいずれか一項に記載の複合ペイン（１００）の製造方法：
（ａ）少なくとも一つの外部ペイン（１）、少なくとも一つの保護層（５）、少なくとも一つの機能要素（４）、少なくとも一つの中間層（３）、及び少なくとも一つの内部ペイン（２）の積層体を製造すること、及び
（ｂ）前記積層体を積層して、複合ペイン（１００）を形成すること。
【請求項１１】
陸上、空中、又は水上を移動するための移動手段、特に動力乗物における、請求項１〜９のいずれか一項に記載の複合ペイン（１００）の使用であって、例えば、ウィンドシールド、リアウィンドウ、サイドウィンドウ、及び／又はルーフパネルとしての、及び機能性の個別要素としての、及び調度品、電化製品、及び建物における組み込み部品としての、特に電気ヒーターとしての、あるいは建設部門又は建築部門における屋内若しくは屋外の建物グレージングとしての、使用。
【請求項１２】
機能要素を保護するための、好ましくは、機能要素を赤外線及び／又は紫外線放射から保護するための、請求項１〜９のいずれか一項に記載の複合ペイン（１００）における金属保護層（５）の使用。
【発明の詳細な説明】
【技術分野】
【０００１】
本発明は、機能要素及び金属保護層を有する複合ペインと、この複合ペインの製造方法、並びにその使用に関する。
【背景技術】
【０００２】
燃焼機関を有する動力乗物のグレージングには、広範囲に及ぶ法的必要条件が定められている。ペインの視界の大きさ及び構造的な安定性に関して、以下の法的規制が適用されている：
−  ＥＣＥ  Ｒ４３：安全グレージング及び複合グレージング材料の承認に関する統一規定［Ｅｉｎｈｅｉｔｌｉｃｈｅ  Ｖｏｒｓｃｈｒｉｆｔｅｎ  ｆｅｕｒ  ｄｉｅ  Ｇｅｎｅｈｍｉｇｕｎｇ  ｄｅｓ  Ｓｉｃｈｅｒｈｅｉｔｓｇｌａｓｅｓ  ｕｎｄ  ｄｅｒ  Ｖｅｒｂｕｎｄｇｌａｓｗｅｒｋｓｔｏｆｆｅ］及び
−    型式試験のための乗物部品の技術的要件［Ｔｅｃｈｎｉｓｃｈｅ  Ａｎｆｏｒｄｅｒｕｎｇｅｎ  ａｎ  Ｆａｈｒｚｅｕｇｔｅｉｌｅ  ｂｅｉ  ｄｅｒ  Ｂａｕａｒｔｐｒｅｕｆｕｎｇ］  セクション２２  ａ  ＳｔＶＺＯ（ドイツ道路乗物規約）、Ｎｏ．２９「安全ガラス」。
【０００３】
これらの規制は、一般的には複合ペインに対応するものである。通常、複合ペインは、特にフロートガラスでできた外部ペイン及び内部ペインからなり、かつ熱及び圧力によって一つ又は複数の中間層で互いにしっかりと結合している。中間層は、通常はポリビニルブチラール（ＰＶＢ）、又はエチレン酢酸ビニル（ＥＶＡ）などの熱可塑性プラスチックでできている。
【０００４】
現代の乗物グレージングは、複合ペインにしっかりと結合した多数の機能要素をしばしば有しており、例えば、ＯＬＥＤディスプレイなどのディスプレイ又はセンサー電子機器といった機能要素を有している。こうした機能要素は、大抵、非常に温度感受性であるか又は紫外線（ＵＶ）放射感受性である。
【発明の概要】
【発明が解決しようとする課題】
【０００５】
本発明の目的は、機能要素を有する複合ペインであって、赤外線放射及び紫外線放射からこの機能要素を保護し、この機能要素を複合ペインに容易にかつ経済的に統合することができる改善した複合ペインを提供することにある。
【課題を解決するための手段】
【０００６】
本発明の目的は、独立請求項１にしたがう複合ペインによって本発明に基づき達成される。好ましい実施形態は、従属請求項から明らかである。
【０００７】
本発明による複合ペインは、少なくとも以下の特徴を有する：
−  少なくとも一つの中間層によって互いに接合している外部ペイン及び内部ペイン、
−  上記外部ペイン及び上記内部ペインの間に配置されている機能要素、
を含み、
ここで、金属保護層が、上記外部ペインと、上記機能要素との間に配置されている。
【０００８】
金属保護層は、外部ペインを通じて複合ペインに入る赤外線放射及び／又は紫外線放射が、機能要素に到達しないか、又はわずかな程度にしか到達しないようにして実装されている。したがって、機能要素は、過剰な温度上昇又は紫外線（ＵＶ）放射による損傷から保護されている。同時に、この金属保護層は、電磁波放射から機能要素を保護することができ、特に、キロヘルツ（ｋＨｚ）、メガヘルツ（ＭＨｚ）、又はギガヘルツ（ＧＨｚ）の高周波電磁放射から機能要素を保護することができる。
【０００９】
本発明による保護層の有利な実施形態では、外部ペインを通じて複合ペインに入る赤外線放射の少なくとも８０％、好ましくは９０％、特に少なくとも９９％が、この保護層によって吸収されるか又は反射される。
【００１０】
本発明による保護層の別の有利な実施形態では、外部ペインを通じて複合ペインに入る紫外線放射の少なくとも８０％、好ましくは９０％、特に少なくとも９８％が、この保護層によって吸収されるか又は反射される。
【００１１】
本発明による複合ペインの別の有利な実施形態では、金属保護層は、少なくとも一つの金属層を含むか又はこれからなり、好ましくは、アルミニウム層、ステンレス鋼層、銅層、銀層、若しくは金層を含むか又はこれからなる。このような金属層は、特に、赤外線放射又は紫外線放射を十分に吸収するか又は反射するのに特に適している。良好な熱伝導性及び低い紫外線透過性に起因して、特に有利なのはアルミニウム層である。
【００１２】
本発明による保護層の別の有利な実施形態では、少なくとも一つの金属層は、少なくとも一つのキャリアフィルムの上に配置されている。キャリアフィルムは、好ましくは、ポリマーフィルムを含むか又はこれからなり、特に、ポリエチレンテレフタレート（ＰＥＴ）、ポリビニルブチラール（ＰＶＢ）（例えば、Ｍｏｗｉｔａｌ（登録商標））、エチレン酢酸ビニル（ＥＶＡ）、ポリエチレンナフタレート（ＰＥＮ）、ポリエポキシド、若しくはポリイミドを含むか又はこれからなる。キャリアフィルムの上に金属層を配置することは、薄くかつ脆い金属層であっても容易に加工することを可能にする。
【００１３】
本発明による保護層の別の有利な実施形態では、金属層は、少なくとも一つのキャリアフィルムと合同であるか、又は実質的に合同である。このことは、金属層の横方向の寸法と、キャリアフィルムの横方向の寸法とが等しいことを意味し、あるいは言い換えれば、金属層がキャリアフィルムを、完全に又はほぼ完全に覆っていることを意味する。
【００１４】
本発明による保護層の別の有利な実施形態では、保護層は、少なくとも一つの金属箔を含むか又はこれからなり、すなわち、金属層は、金属箔（金属薄片）として実施されている。金属箔は、好ましくは自立しており、言い換えれば、追加のキャリアフィルムなしで挿入しかつ加工するのに十分に厚くかつ安定である。好ましい金属箔は、アルミニウム箔、ステンレス鋼箔、銅箔、銀箔、又は金箔である。言うまでもなく、多数の金属箔を互いに組み合わせることができ、例えば、赤外線放射及び紫外線放射に対して最適な不透過率を達成することができる。
【００１５】
有利な実施形態では、金属層又は金属箔は、０．５μｍ〜５００μｍ、好ましくは１μｍ〜２００μｍ、特に、２０μｍ〜５０μｍの厚さを有する。こうした厚い金属層は、赤外線放射及び紫外線放射に対して十分に良好な不透過率を有する。さらに、このような金属層は、経済的でありかつ加工し易い。
【００１６】
別の有利な実施形態では、金属層又は金属箔は、保護層を通じた可視光の透過率が、５０％未満、好ましくは３０％未満、さらにより好ましくは１０％未満であり、特に５％未満であるようにして実施される。簡易な実験に照らして、材料選択と厚さとの適切な組み合わせによって、当業者はこれを定めることができる。
【００１７】
金属保護層は、複合ペインの積層体に挿入するか、又は積層することができる。任意に、金属保護層は、さらに複合ペインの層の表面の一つに接着接合することができ、例えば、外部ペインの内側の面に、又は機能要素に接着接合することができる。
【００１８】
本発明による複合ペインの有利な実施形態では、機能要素を、外部ペイン上への（外部ペインを経由した）保護層の正射影の領域に配置する。好ましくは、外部ペイン上への保護層の正射影の領域は、外部ペイン上への機能要素の正射影の領域と等しいか、又はこれよりも大きい。外部ペインを通じた赤外線放射及び／又は紫外線放射が機能要素に到達しないことを保証するための唯一の方法がこれであるので、言うまでもなく、機能要素の正射影の領域は、外部ペイン上への保護層の正射影の領域内にある。
【００１９】
好ましくは、外部ペイン上への保護層の正射影の領域は、外部ペイン上への機能要素の正射影の領域よりも大きい。これは、機能要素の縁領域であっても、赤外線放射及び／又は紫外線放射から保護されることを保証する。特に、保護層の正射影の領域は、機能要素の正射影の領域と、それぞれ少なくとも２ｍｍ、好ましくはそれぞれ少なくとも５ｍｍ、特に少なくとも１０ｍｍ重なり合っている。これは、非直交角度で外部ペインに突きあたる赤外線放射及び／又は紫外線放射が、機能要素に到達することを効果的に防止する。
【００２０】
機能要素は、温度感受性及び／又は紫外線（ＵＶ）放射感受性の機能要素であり、好ましくは電気的機能要素である。
【００２１】
このような機能要素は、好ましくは、以下を含むか又は以下からなる：
−  光源、好ましくはＬＥＤ光源（発光ダイオード）、及び特に好ましくはＯＬＥＤ光源（有機発光ダイオード）、
−  ディスプレイ、好ましくはＯＬＥＤディスプレイ、特に好ましくは透明なＯＬＥＤディスプレイ、
−  センサー、好ましくは温度センサー、タッチセンサー、湿分センサー、振動センサー、又はブレイクセンサー、
−  ＲＦＩＤチップ、スイッチング論理回路、又はマイクロプロセッサー。
【００２２】
本発明による実施形態では、保護層及び機能要素は、外部ペインと内部ペインとの間に配置されている。外部ペイン及び内部ペインは、少なくとも一つの中間層を介して接合している。これは、保護層が外部ペインと機能要素との間に配置されていることを条件として、保護層、機能要素、及び一つ又は複数の中間層のあらゆる様々な配置を含む。このことは、外部ペインを通じて複合ペインに侵入する赤外線放射及び／又は紫外線放射から機能要素をより簡素にかつより効果的に保護することを保証する。
【００２３】
有利な実施形態では、外部ペインの内側面ＩＩに保護層を直接配置するか、又はマスキングプリントを介してのみ配置する。さらに、保護層に直接隣接して機能要素を配置する。第一の中間層を介して内部ペインの内側面ＩＩＩに機能要素を接合する。好ましくは、機能要素の周りに、特に好ましくは保護層の周りにも、さらなる中間層をフレームの形態で配置する。このさらなるフレーム形状の中間層は、外部ペインの内側面ＩＩを第一の中間層に接合し、同様にして、第一の中間層が内部ペインの内側面ＩＩＩに接合する。このさらなるフレーム形状の中間層は、機能要素によって生じた複合ペイン内の高さの差を補償し、かつ積層後に光学的ひずみのない低い張力結合を保証する。
【００２４】
代替の有利な実施形態では、外部ペインの内側面ＩＩに保護層を直接配置するか、又はマスキングプリントを介してのみ配置する。さらに、保護層及び外部ペインの内側面ＩＩを第二の中間層に面対面で接合する。次いで、第二の中間層に直接隣接して機能要素を配置する。第一の中間層を介して内部ペインの内側面ＩＩＩに機能要素を接合する。好ましくは、さらなる中間層を機能要素の周りにフレームの形態で配置する。このさらなるフレーム形状の中間層は、第二の中間層を第一の中間層に接合し、同様にして、第一の中間層が内部ペインの内側面ＩＩＩに接合する。このさらなるフレーム形状の中間層は、機能要素によって生じた複合ペイン内の高さの差を補償し、かつ積層後に光学的ひずみのない低い張力結合を保証する。
【００２５】
別の代替の有利な実施形態では、第三の中間層を介して外部ペインの内側面ＩＩに保護層を接合する。さらに、保護層及び第三の中間層を第二の中間層に面対面で接合する。次いで、第二の中間層に直接隣接して機能要素を配置する。第一の中間層を介して内部ペインの内側面ＩＩＩに機能要素を接合する。好ましくは、さらなる中間層を機能要素の周りにフレームの形態で配置する。このさらなるフレーム形状の中間層は、第二の中間層を第一の中間層に接合し、同様にして、第一の中間層が内部ペインの内側面ＩＩＩに接合する。このさらなるフレーム形状の中間層は、機能要素によって生じた複合ペイン内の高さの差を補償し、かつ積層後に光学的ひずみのない低い張力結合を保証する。
【００２６】
別の代替の有利な実施形態では、外部ペインの内側面と第一の中間層との間に保護層を配置する。次に、好ましくは、第一の中間層と内部ペインの内側面との間に機能要素を配置する。好ましくは、機能要素の周りにさらなるフレーム形状の中間層を配置して、高さの差を補償する。
【００２７】
外部ペインと内部ペインとの間に、少なくとも部分的に機能要素を配置する。ここで、「部分的に」とは、機能要素が、外部ペイン及び内部ペインの表面全体を覆うわけではないが、代わりに、通常は狭い帯状のストリップなどの小区域のみを覆うことを意味する。
【００２８】
相応して、保護層も、外部ペインと内部ペインとの間に、少なくとも部分的にのみ配置される。ここで、「部分的に」とは、保護層が、外部ペイン及び内部ペインの表面全体を覆うわけではないが、代わりに、通常は狭い帯状のストリップなどの小区域のみを覆うことを意味する。
【００２９】
基本的に、本発明による複合ペインの製造及び使用の条件下で熱的及び化学的に安定であり、かつ寸法安定性のあるすべての電気絶縁性基材は、外部ペイン及び内部ペインとして、又は外部ペインと内部ペインとの間に配置するすべてのその他のペインとして適している。
【００３０】
ペインは、好ましくは、ガラスを含むか、又はガラスから構成されており、好ましくはフラットガラス、最も特に好ましくはフロートガラス、例えば、ソーダ石灰ガラス、ホウケイ酸ガラス、又は石英ガラスなどを含むか、又はこれから構成されている。あるいは、ペインは、透明なプラスチックを含むか、又は透明なプラスチックから構成されており、好ましくは硬質透明プラスチック、特に、ポリエチレン、ポリプロピレン、ポリカーボネート、ポリメチルメタクリレート、ポリスチレン、ポリアミド、ポリエステル、ポリ塩化ビニル、及び／又はこれらの混合物を含むか、又はこれから構成されている。ペインは、特に、乗物のウィンドシールド又はリアウィンドウとしてのペインの使用、あるいは高い光透過性が望まれるその他の使用のためには、好ましくは透明である。本発明に照らして、可視スペクトル範囲において７０％を超える透過率を有するペインは、透明であるものと理解される。しかしながら、運転者の交通関連の視野の範囲内にないペインについては、例えばルーフパネルについては、透過率はかなり低いものであってもよく、例えば、５％を超えるものであってよい。
【００３１】
ペインの厚さは、幅広く変えることができ、したがって、個々の場合の要求に理想的に適合させることができる。好ましくは、１．０ｍｍ〜２５ｍｍの標準的な厚さの個々のペインを使用し、乗物のガラスのためには、好ましくは１．４ｍｍ〜２．５ｍｍのペインを、調度品、電化製品及び建物、特に電気ヒーターのためには、好ましくは４ｍｍ〜２５ｍｍのペインを使用する。ペインの大きさは、幅広く変えることができ、かつ本発明による用途の大きさによって左右される。第一のペイン及び第二のペインは、例えば、乗物構造物及び建築部門においては、２００ｃｍ２〜２０ｍ２の通常の面積を有する。
【００３２】
複合ペインは、任意の三次元形状を有することができる。好ましくは、この三次元形状は影の区域がなく、それによって、例えばカソードスパッタリングによって、例えば領域ごとに、赤外線反射コーティング又はｌｏｗ−Ｅ（低放射率）コーティングで被覆することができるようになっている。好ましくは、ペインは、平面であるか、あるいは一つ又は複数の空間方向にわずかに若しくは強く湾曲している。特に、平面の基材が使用される。ペインは、無色であっても、又は着色していてもよい。
【００３３】
ペインは、少なくとも一つの中間層によって、好ましくは第一及び第二の中間層によって、互いに接合している。中間層は、好ましくは透明である。中間層は、好ましくは少なくとも一つのプラスチックを含み、好ましくは、ポリビニルブチラール（ＰＶＢ）、エチレン酢酸ビニル（ＥＶＡ）、及び／又はポリエチレンテレフタレート（ＰＥＴ）を含む。しかしながら、中間層は、例えば、ポリウレタン（ＰＵ）、ポリプロピレン（ＰＰ）、ポリアクリレート、ポリエチレン（ＰＥ）、ポリカーボネート（ＰＣ）、ポリメチルメタクリレート、ポリ塩化ビニル、ポリアセテート樹脂、注型用樹脂、アクリレート、フッ素化エチレンプロピレン、ポリフッ化ビニル、及び／又はエチレンテトラフルオロエチレン、又はこれらのコポリマー若しくは混合物を含んでいてもよい。中間層は、好ましくは０．０２５ｍｍ〜１ｍｍ、典型的には０．３８ｍｍ又は０．７６ｍｍの厚さのフィルムを使って、一つのフィルム又は互いの上に重ねて配置した複数のフィルムから形成することもできる。中間層は、好ましくは熱可塑性であり、積層後に、ペインと任意のその他の中間層とを互いに結合することができる。
【００３４】
「外部ペイン」及び「内部ペイン」との用語は、本発明による複合ペインにおける２つのペインを区別するために選択する。これらの用語は、幾何学的配置についての記述を示すものではない。本発明による複合ペインが、例えば開口部に、例えば乗物又は建物の開口部に提供されて、内部を外部環境から隔てるとき、外部ペインは、通常は外部環境に面しており、したがって、例えば太陽光などの、強くかつ日常的な赤外線放射又は紫外線放射源の方を向いている。
【００３５】
本発明による複合ペインの有利な実施形態では、マスキングプリント、例えば、黒色プリント、白色プリント、又は別の色のプリントを、少なくとも外部ペインと金属保護層との間に配置する。少なくとも、外部ペインと金属保護層との間の、外部ペイン上への保護層の正射影の領域に、好ましくはマスキングプリントを配置する。好ましくは、外部ペインの内側面ＩＩに直接マスキングプリントを配置する。
【００３６】
本発明による複合ペインの代替の実施形態では、少なくとも外部ペインと金属保護層との間に、マスキングプリントを配置しない。これは、金属層の反射特性を向上させる。
【００３７】
本発明の別の態様は、少なくとも以下を含む、本発明による複合ペインの製造方法を含む：
（ａ）少なくとも一つの外部ペイン、少なくとも一つの保護層、少なくとも一つの機能要素、少なくとも一つの中間層、及び少なくとも一つの内部ペインの積層体を製造すること、及び
（ｂ）上記積層体を積層して、複合ペインを形成すること。
【００３８】
中間層は、それぞれ、単一のフィルム、又は互いに上下に重ねて配置した二つ若しくはそれを超えるフィルムから、領域ごとに又は部分的に形成することができる。
【００３９】
工程（ｂ）での積層体の接合は、好ましくは、熱、真空、及び／又は圧力の作用下に行う。それ自体既知の方法を複合ペインを製造するために使用することができる。
【００４０】
例えば、いわゆるオートクレーブ法を、おおよそ１０ｂａｒ〜１５ｂａｒの高められた圧力及び１３０℃〜１４５℃の温度で、約２時間実施する。それ自他既知の真空バッグ法又は真空リング法を、例えば、おおよそ２００ｍｂａｒ、８０℃〜１１０℃で実施する。外部ペイン、熱可塑性中間層、及び内部ペインを、少なくとも一対のローラーの間でカレンダーにおいてプレスすることもできる。ペインを製造するためのこのタイプのプラントは既知であり、通常は、プレス施設から上流に少なくとも一つの加熱トンネルを有している。プレス作業の間の温度は、例えば４０℃〜１５０℃である。カレンダー法とオートクレーブ法との組み合わせは、実際のところ、特に有用であることが判明している。あるいは、真空ラミネーターを使用することができる。これらは、一つ又は複数の加熱可能な排気できるチャンバーから構成されており、このチャンバー中で、例えば、０．０１ｍｂａｒ〜８００ｍｂａｒの減圧、８０℃〜１７０℃の温度で、おおよそ６０分以内でペインを積層する。
【００４１】
本発明の別の態様は、建物における、特に、アクセス領域、ウィンドウ領域、ルーフ領域、又はファサード領域における；調度品及び電化製品における組み込み部品としての；陸上、空中、又は水上を移動するための移動手段における、特に、電車、船舶、及び動力乗物における、例えば、ウィンドシールド、リアウィンドウ、サイドウィンドウ、及び／又はルーフパネルとしての；本発明による複合ペインの使用を含む。
【００４２】
本発明はさらに、機能要素を保護するための、特に、機能要素を赤外線及び／又は紫外線放射から保護するための、本発明による複合ペインにおける金属保護層の使用を含む。
【００４３】
以下に、図面及び例示的な実施形態を参照しながら、本発明を詳細に説明する。図面は概略的な図であり、正確な縮尺ではない。図面は決して本発明を限定するものではない。
【図面の簡単な説明】
【００４４】
【図１】本発明による複合ペインを有する本発明によるペイン配置の実施形態の平面図である。
【図２Ａ】図１の切断線Ａ−Ａ’に沿った断面図である。
【図２Ｂ】図１の切断線Ａ−Ａ’に沿った代替の実施形態の断面図である。
【図２Ｃ】図１の切断線Ａ−Ａ’に沿った代替の実施形態の断面図である。
【図３】本発明による方法の実施形態の詳細なフローチャートである。
【発明を実施するための形態】
【００４５】
図１は、乗物のウィンドウ、特に、乗用車のウィンドシールドの例を使って、本発明による複合ペイン１００を有する本発明によるペイン配置１０１の例示的な実施形態の平面図を示したものである。
【００４６】
複合ペイン１００は、例えば、実質的に台形である。複合ペイン１００の寸法は、例えば、０．９ｍ×長い側面で１．５ｍである。設置位置において、内部ペイン２は、例えば、乗物の内部に面することが意図されている。言い換えれば、内部ペイン２の外側面ＩＶが内側から到達可能である一方で、対照的に、外部ペイン１の外側面Ｉが乗り物内部に対して外側を向いている。「内側」及び「外側」との用語は、それぞれ、複合ペインの内側及び外側を指す。外部ペイン１及び内部ペイン２は、例えば、ソータ石灰ガラスでできている。内部ペイン２の厚さは、例えば、１．６ｍｍであり、かつ外部ペイン１の厚さは、例えば、２．１ｍｍである。言うまでもなく、外部ペイン１及び内部ペイン２は、任意の厚さを有することができ、例えば、同一の厚さを有していてもよい。
【００４７】
複合ペイン１００は、建築のグレージング、調度品のグレージングなどであってもよい。複合ペイン１００は、断熱グレージングユニットの一部であってよく、例えば、建物のウィンドウに配置することができる。あるいは、複合ペイン１００は、例えば室内に配置することができ、かつ例えば、会議室、又は冷蔵庫、又は調度品の部品のグレージングとすることができる。
【００４８】
図２Ａは、図１の切断線Ａ−Ａ’に沿った例示的な断面図を示す。ここで、複合ペイン１００は、例えば、２つの中間層３を介して互いに接合した外部ペイン１と内部ペイン２とを含む。第一の中間層３．１は、全面構造を有しており、その一方で第二の中間層６は、フレーム形状である。
【００４９】
例示的な実施形態では、電気的機能要素４、例えばＯＬＥＤディスプレイは、ウィンドシールドの上部の中央領域に組み込まれている。こうしたＯＬＥＤディスプレイは、非常に温度感受性であり、かつ紫外線放射下で劣化する。金属保護層５は、機能要素４と外部ペイン１の間に配置されている。機能要素４が、外部ペイン１に対して保護層５の正射影の領域１０内に完全にあるようにして、保護層５が配置されている。これは、外部ペイン１を介して複合ペイン１００に入る赤外線及び／又は紫外線放射３０を、機能要素４に突きあたる前に保護層５によって遮断することを保証する。金属保護層５は、例えば、２０μｍの厚さのアルミニウム箔からなる。
【００５０】
中間層６は、機能要素４及び保護層５の周りでフレームの形態で配置されており、機能要素４及び保護層５の厚さによって生じた高さの差を補償する。
【００５１】
第一の中間層３及び第二の中間層６は、両方とも、例えばＰＶＢでできていてよく、かつ複合ペイン１００の製造時に、積層プロセスで一緒に結合しており、同時に外部ペイン１と内部ペイン２とを互いにしっかりと恒久的に接合している。
【００５２】
この例示的な実施形態では、例えば、黒色プリント２０を、保護層５と外部ペイン１との間、及び複合ペイン１００の外縁領域間で、外部ペイン１の内側面ＩＩの上に直接、任意に適用する。マスキングプリント２０は、複合ペインを接着しながら、例えば、ペイン２の外側面ＩＶを介して乗物本体のフレームに複合ペインを接着しながら、複合ペイン１００を通じた視界及び複合ペイン１００の縁領域の最上部からの視界を妨げる。特に、通常は金属光沢を有し、かつあまり美的なものでない注意をそらすような反射を引き起こし得る金属保護層５の最上部からの視界も妨げる。
【００５３】
外部から複合ペイン１００の外部ペイン１に突きあたる紫外線及び赤外線放射３０は、機能要素４と外部ペイン１との間の金属保護層５の本発明による配置によって遮断される。赤外線放射の場合には、これは、機能要素４に対する過熱又は熱的損傷の回避をもたらす。紫外線からの保護は、機能要素４の電子機器の劣化を減少し、又は防止する。両者とも機能要素４の耐用年数を延長し、かつ操作信頼性を増大させる。
【００５４】
図２Ｂは、図１の切断線Ａ−Ａ’に沿った代替の実施形態の断面図を示したものである。ここで、複合ペイン１００は、図２Ａの例の構造及び材料選択に実質的に相当している。図２Ａとは対照的に、図２Ｂでは、領域ごとの第二の中間層３．２が、機能要素４と保護層５との間に配置されている。第二の中間層３．２のポリマーの非導電性材料によって、機能要素４が、導電性金属保護層５から確実に分離されているので、これは特に有利である。
【００５５】
図２Ｃは、図１の切断線Ａ−Ａ’に沿った代替の実施形態の断面図を示したものである。ここで、複合ペイン１００は、図２Ｂの例の構造及び材料選択に実質的に相当している。図２Ｂとは対照的に、図２Ｃでは、領域ごとの第三の中間層３．３が、外部ペイン１と保護層５との間に配置されている。第三の中間層３．３によって、金属保護層５が外部ペイン１に確実にかつ恒久的に結合しているので、これは特に有利である。
【００５６】
言うまでもなく、本発明による複合ペイン１００の実施形態の、ここで図示したもの、及びここで図示していないもののそれぞれについて、金属保護層５は、自立性金属層であるか、又は薄い、独立性の又は非独立性の安定した金属層を有するポリマーキャリア層とすることができる。
【００５７】
さらに、保護層５を有する機能要素４の位置は、所望に応じて、かつ所望する使用に照らして、複合ペイン１００の領域に配置することができる。複合ペイン１００の下縁又は側縁、特に、複合ペイン１００を通じた中央視界の外側が好ましい。言うまでもなく、本発明による複合ペイン１００は、一つ又は複数の隣接する又は隣接しない保護層５とともに、複数の機能要素４を有することもできる。
【００５８】
図３は、以下の工程Ｓ１〜Ｓ６を含む、図２Ａにしたがう本発明による複合ペイン１００を製造するための本発明による方法の例示的な実施形態のフローチャートを示したものである：
Ｓ１：外部ペイン１の内側面ＩＩにマスキングプリント２０を印刷すること；
Ｓ２：外部ペイン１の内側面ＩＩに金属保護層５を配置すること、好ましくは接着によって配置すること；
Ｓ３：金属保護層５の上に電気的機能要素４を配置すること、好ましくは接着によって配置すること、及び外部ペイン１の内側面ＩＩの上で、電気的機能要素４の周りにフレーム形状の中間層６を配置すること；
Ｓ４：フレーム形状の中間層６及び機能要素４の上に、第一の中間層３．１を配置すること；
Ｓ５：第一の中間層３．１の上に、内部ペイン２を配置すること；
Ｓ６：積層体を積層して、複合ペイン１００を形成すること。
【符号の説明】
【００５９】
１    外部ペイン
２    内部ペイン
３    中間層
３．１    第一の中間層
３．２    第二の中間層
３．３    第三の中間層
４    機能要素
５    保護層
６    フレーム形状の中間層
１０    投影領域
２０    マスキングプリント、黒色プリント
３０  赤外線（ＩＲ）放射及び紫外線（ＵＶ）放射
１００    複合ペイン
１０１    ペイン配置
Ａ−Ａ’    切断線
Ｓ１、Ｓ２、Ｓ３、Ｓ４、Ｓ５、Ｓ６    工程
Ｉ    外部ペイン１の外側面
ＩＩ    外部ペイン１の内側面
ＩＩＩ    内部ペイン２の内側面
ＩＶ    内部ペイン２の外側面
【図１】
2021506714.tif 000003
【図２Ａ】
2021506714.tif 000004
【図２Ｂ】
2021506714.tif 000005
【図２Ｃ】
2021506714.tif 000006
【図３】
2021506714.tif 000007
【国際調査報告】
2021506714.tif 000008
2021506714.tif 000009
2021506714.tif 000010
2021506714.tif 000011
2021506714.tif 000012